(57)【要約】【課題】被写体像に重畳表示させない場合において、撮影レンズユニットを通過した被写体光の輝度を低下させない撮像装置を提供する。【解決手段】上記課題を解決するために、撮像装置は、被写体を観察する光学ファインダと、透過型表示素子と、透過型表示素子を、光学ファインダの光路に交差させる第１状態と、光路から退避させる第２状態に変位させる、すなわち光学ファインダの光路に交差する位置と、光学ファインダの光路に交差しない位置にずらす変位機構とを備える。【選択図】図５
2012090065.tif 000002
【特許請求の範囲】
【請求項１】
被写体を観察する光学ファインダと、
透過型表示素子と、
前記透過型表示素子を、前記光学ファインダの光路に交差させる第１状態と、前記光路から退避させる第２状態に変位させる変位機構と
を備える撮像装置。
【請求項２】
前記透過型表示素子は、前記第１状態において、前記光路の一次結像面に配置される請求項１に記載の撮像装置。
【請求項３】
筐体に設けられた視認窓を備え、
前記透過型表示素子は、前記第２状態において、前記視認窓を介して視認されるように配置される請求項１または２に記載の撮像装置。
【請求項４】
前記透過型表示素子は可撓性を有し、前記変位機構は、前記第２状態として、前記透過型表示素子を巻取り収容状態とする請求項１または２に記載の撮像装置。
【請求項５】
前記透過型表示素子の表示制御を行う表示制御部を備え、
前記表示制御部は、前記第１状態において、前記被写体の光学像に重畳させて画像データを表示する請求項１から４のいずれか１項に記載の撮像装置。
【請求項６】
前記光学像が撮影された場合に、前記画像データの少なくとも一部の領域を合成した撮影データを生成する画像処理部を備える請求項５に記載の撮像装置。
【請求項７】
前記変位機構により前記透過型表示素子を前記第１状態と前記第２状態のいずれかの状態に駆動する駆動制御部を備える請求項１から６のいずれか１項に記載の撮像装置。
【請求項８】
ユーザが前記光学ファインダに近接したか否かを検出する近接センサを備え、
前記駆動制御部は、前記ユーザが前記光学ファインダに近接したことを前記近接センサが検出した場合に、前記透過型表示素子を前記第２状態から前記第１状態に駆動する請求項７に記載の撮像装置。
【請求項９】
周辺環境の照度を検出する照度センサを備え、
前記駆動制御部は、前記照度センサが予め定められた閾値より暗くなったことを検出した場合に、前記透過型表示素子を前記第１状態から前記第２状態に駆動する請求項７または８に記載の撮像装置。
【請求項１０】
前記透過型表示素子は、前記第１状態において、前記被写体の光学像に重畳する表示領域と、重畳しない表示領域を有する請求項１から９のいずれか１項に記載の撮像装置。
【請求項１１】
前記透過型表示素子は、自発光型の表示素子である請求項１から１０のいずれか１項に記載の撮像装置。
【発明の詳細な説明】
【技術分野】
【０００１】
本発明は、撮像装置に関する。
【背景技術】
【０００２】
撮影レンズユニットを通過した被写体光が結像する焦点板の上面に液晶型の表示素子を設け、当該被写体光学像に重畳させてＡＦエリア等を表示するカメラが知られている。
［先行技術文献］
［特許文献］
［特許文献１］  特開２００９−２５３８９９号公報
【発明の概要】
【発明が解決しようとする課題】
【０００３】
しかしながら、被写体光学像に表示素子を重畳させる場合、当該表示素子がたとえ透過型であっても透過光量は減少してしまうので、被写体光学像の視認性は低下していた。
【課題を解決するための手段】
【０００４】
上記課題を解決するために、本発明の撮像装置は、被写体を観察する光学ファインダと、透過型表示素子と、透過型表示素子を、光学ファインダの光路に交差させる第１状態と、光路から退避させる第２状態に変位させる変位機構とを備える。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】一眼レフカメラの外観を示す背面斜視図である。
【図２】一眼レフカメラの要部断面図である。
【図３】一眼レフカメラのシステム構成を概略的に示すブロック図である。
【図４】ファインダ窓を介して視認される重畳表示を示した図である。
【図５】透過表示部をスライドさせる変位機構を示す模式図である。
【図６】透過表示部のスライド時の状態を示した図である。
【図７】他の一眼レフカメラの要部断面図である。
【図８】可撓性を有する透過表示部の構造を示した平面図である。
【図９】透過表示部を第１状態にした場合の模式図である。
【図１０】可撓性を有する透過表示部を第２状態にした場合の模式図である。
【図１１】近接センサを用いて透過表示部をスライドさせるフロー図である。
【図１２】照度センサを用いて透過表示部をスライドさせるフロー図である。
【図１３】光学像に画像データの一部を合成する過程を示した図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る一眼レフカメラ１０の背面斜視図である。一眼レフカメラ１０は、カメラ本体３０に交換レンズ２０が装着されて構成される。カメラ本体３０には、焦点距離、開放Ｆ値等の異なる複数の交換レンズ２０が交換可能に装着される。
【０００９】
カメラ本体３０の背面には、背面表示部６１、決定ボタン６２、十字キー６３、ライブビューボタン６４、スライドレバー６５、ファインダ窓６７、近接センサ６８等が設けられている。また、カメラ本体３０の側面には、視認窓６６、照度センサ６９等が設けられている。
【００１０】
背面表示部６１には、撮影された画像データが表示される他、一眼レフカメラ１０の各種設定に関する様々な設定情報、メニュー項目等も表示される。ユーザは、十字キー６３、決定ボタン６２および他の操作部材を操作することにより、背面表示部６１に画像データ、メニュー項目等を順次表示させて視認しながら、特定の項目を選択、実行する指示をカメラ本体３０に与えることができる。例えば、ユーザは、十字キー６３によりアクティブなメニュー項目を上下左右に移動させた後に、十字キー６３の中心部に設けられた決定ボタン６２を押下げることにより、アクティブにしたメニュー項目をカメラ本体３０に設定、実行させることができる。
【００１１】
ライブビューボタン６４は、撮像素子の受光面に結像する被写体画像を逐次光電変換して表示用の画像データを生成し、これを背面表示部６１に連続的に表示させるライブビューを開始させるボタンである。ユーザは、ライブビューボタン６４を押し下げることにより、ファインダ窓６７を介した被写体観察から、背面表示部６１による被写体観察に切り替えることができる。さらに、再度ライブビューボタン６４を押し下げれば、ファインダ窓６７を介した被写体観察に戻すことができる。
【００１２】
スライドレバー６５は、ユーザがＩＮの位置からＯＵＴの位置またはＯＵＴの位置からＩＮの位置にスライド操作すると、後述する透過表示部を光学ファインダの光路に交差させる第１状態と、光路から退避させる第２状態に変位させる。本実施形態では、透過表示部を第２状態に変位させると、透過表示部がカメラ本体３０の右肩部に設けられた視認窓６６を介して視認される。
【００１３】
近接センサ６８は、ユーザがファインダ窓６７に近接したか否か、すなわちユーザがファインダ窓６７を覗いているか否かを検出するセンサである。従って、近接センサ６８はファインダ窓６７の近傍に設けられている。近接センサ６８は、例えば赤外線の投光部および受光部から構成される。カメラ本体３０の左側部には照度センサ６９が備えられている。照度センサ６９は、一眼レフカメラ１０の周辺環境の照度を検出するセンサである。
【００１４】
図２は、一眼レフカメラ１０の要部断面図である。一眼レフカメラ１０は、交換レンズ２０とカメラ本体３０が組み合わされて撮像装置として機能する。
【００１５】
交換レンズ２０は、光軸１１に沿って配列されたレンズ群２１を備える。レンズ群２１は、入射される被写体光束をカメラ本体３０へ導く。レンズ群２１には、フォーカスレンズ、ズームレンズ等が含まれ、焦点調整、画角調整の指示に応じて光軸方向に移動できるように構成されている。交換レンズ２０は、カメラ本体３０との接続部にレンズマウント２９を備え、カメラ本体３０が備えるカメラマウント３１と係合して、カメラ本体３０と一体化する。
【００１６】
カメラ本体３０は、交換レンズ２０から入射される被写体光束を反射するメインミラー３２と、メインミラー３２で反射された被写体光束が一次結像するピント板５５を備える。メインミラー３２は、メインミラー回転軸３４周りに回動して、光軸１１を中心とする被写体光束中に斜設される斜設状態と、被写体光束から退避する退避状態を取り得る。
【００１７】
ピント板５５側へ被写体の光学像を導く場合は、メインミラー３２は被写体光束中に斜設される。メインミラー３２は、被写体光束中に斜設された状態で、ライブビューボタン６４が押し下げられた場合またはレリーズボタンが最下部まで押し下げられた場合、破線で示した退避位置に移動する。メインミラー３２は、ライブビューボタン６４が押し下げられた場合、再度ライブビューボタン６４が押し下げられるまで退避位置に留まる。一方、レリーズボタンが押し下げられた場合は、所定の撮像動作を終えると元の斜設状態の位置に戻される。
【００１８】
ピント板５５は、撮像素子３６の受光面と共役の位置に配置されている。ピント板５５で一次結像した被写体の光学像は、ペンタプリズム３７で正立像に変換され、接眼光学系３８、ファインダ窓６７を介してユーザに観察される。ペンタプリズム３７の射出面上方にはＡＥセンサ３９が配置されており、ＡＥセンサ３９の受光面には、ピント板５５に一次結像した被写体の光学像が、ペンタプリズム３７を介して二次結像される。
【００１９】
ピント板５５とペンタプリズム３７の間、すなわち被写体光束の一次結像面近傍には、透過表示部７０が第１状態として配置され得る。本実施形態では、透過表示部７０をピント板５５の上面側に設けたが、透過表示部７０を設ける位置は一次結像面の近傍であればよく、ピント板５５の下面側に設けても良い。透過表示部７０は、自発光型で透明基板および透明電極からなる有機ＥＬディスプレイなどの透過型表示素子により構成される。ピント板５５で一次結像した被写体光束は、透過表示部７０が非表示の状態において透過する。また、表示状態であっても、発光条件によっては、表示部分を透過し得る。
【００２０】
なお、透過表示部７０は、メインミラー３２が被写体光束から退避して被写体光束がファインダ窓６７に導かれない場合に、ライブビュー画像、動画像等を表示させるようにしても良い。メインミラー３２が退避した状態においては、被写体光束が入射しないのでファインダ内は暗く、自発光型表示素子を採用する透過表示部７０の視認性が向上する。例えば、直射日光などの強い光が当たって背面表示部６１が視認し難い状況であることが照度センサ６９によって検出されると、ライブビュー画像等を背面表示部６１から透過表示部７０に切り換えて表示させることができる。また、メインミラー３２が被写体光束から退避した状態において、ユーザがファインダ窓６７を覗いていることが近接センサ６８によって検出されると、ライブビュー画像等を背面表示部６１から透過表示部７０に切り換えて表示させることもできる。また、動画像撮影中にもファインダ窓６７を使用することにより、ユーザは一眼レフカメラ１０をしっかりと把持することができるので、手振れの軽減が期待できる。
【００２１】
透過表示部７０は、後述する変位機構７１によって、光学ファインダの光路に交差させる第１状態から光路から退避させる第２状態に変位される。従って、透過表示部７０が第１状態にあるときは、ピント板５５で一次結像した被写体の光学像が透過表示部７０を介してペンタプリズム３７に入射する。一方、透過表示部７０が第２状態にあるときは、ピント板５５で一次結像した被写体の光学像が透過表示部７０を介さずにペンタプリズム３７に入射する。
【００２２】
斜設状態におけるメインミラー３２の光軸１１の近傍領域は、ハーフミラーとして形成されており、入射される被写体光束の一部が透過する。透過した被写体光束は、メインミラー３２と連動して回動するサブミラー４０で反射されて、ＡＦ光学系４１へ導かれる。ＡＦ光学系４１を通過した被写体光束は、ＡＦセンサ４２へ入射される。
【００２３】
ＡＦセンサ４２は、例えば、受光した被写体光束から位相差信号を出力する複数の光電変換素子列である。具体的には、光学像の特定の領域に対応して設けられる複数の焦点調整領域のそれぞれにおいて、合焦状態、前ピン状態、後ピン状態を検出でき、前ピン状態、後ピン状態の場合には、合焦状態からのずれ量も検出することができるように構成されている。なお、サブミラー４０は、メインミラー３２が被写体光束から退避する場合は、メインミラー３２に連動して被写体光束から退避する。
【００２４】
斜設されたメインミラー３２の後方には、光軸１１に沿って、フォーカルプレーンシャッタ４３、撮像素子３６が配列されている。フォーカルプレーンシャッタ４３は、撮像素子３６へ被写体光束を導くときに開放状態を取り、その他のときに遮蔽状態を取る。そして、撮像素子３６は、例えばＣＭＯＳセンサなどの光電変換素子であり、受光面で結像した被写体の光学像を電気信号に変換する。
【００２５】
撮像素子３６で光電変換された電気信号は、メイン基板５０に搭載されたＤＳＰである画像処理部５１で画像データに処理される。メイン基板５０には、画像処理部５１の他に、カメラ本体３０のシステムを統合的に制御するＭＰＵであるカメラシステム制御部５２が搭載されている。カメラシステム制御部５２は、カメラシーケンスを管理すると共に、各構成要素の入出力処理等を行う。例えば、ＡＥセンサ３９から出力される光学像の照度分布から露出値を演算し、ＡＦセンサ４２から出力される位相差信号から合焦制御を行う。また、カメラ本体３０には、着脱可能な二次電池５４が収容され、カメラ本体３０に限らず、交換レンズ２０にも電力を供給する。
【００２６】
図３は、本実施形態に係る一眼レフカメラ１０のシステム構成を概略的に示すブロック図である。一眼レフカメラ１０は、交換レンズ２０とカメラ本体３０のそれぞれに対応して、レンズシステム制御部２２を中心とするレンズ制御系と、カメラシステム制御部５２を中心とするカメラ制御系により構成される。そして、レンズ制御系とカメラ制御系は、レンズマウント１２１とカメラマウント１３１によって接続される接続部を介して、相互に各種データ、制御信号の授受を行う。
【００２７】
カメラ制御系に含まれる画像処理部５１は、カメラシステム制御部５２からの指令に則して、撮像素子３６で光電変換された撮像信号を所定の画像フォーマットに従った画像データに処理する。例えば、静止画像としてＪＰＥＧファイルを生成する場合は、色変換処理、ガンマ処理、ホワイトバランス処理等の画像処理を行った後に適応離散コサイン変換等を施して圧縮処理をする。
【００２８】
また、動画像としてＭＰＥＧファイルを生成する場合は、所定の画素数に縮小して生成した連続する静止画としてのフレーム画像に対して、フレーム内符号化、フレーム間符号化を施して圧縮処理をする。
【００２９】
カメラメモリ１３２は、例えばフラッシュメモリなどの不揮発性メモリであり、一眼レフカメラ１０を制御するプログラム、各種パラメータなどを記憶する役割を担う。ワークメモリ１３３は、例えばＲＡＭなどの高速アクセスできるメモリであり、処理中の画像データを一時的に保管する役割などを担う。
【００３０】
表示制御部１３４は、カメラシステム制御部５２の指示に従って、表示画面を透過表示部７０および背面表示部６１のそれぞれに表示させるべく表示制御を実行する。例えば、画像処理部５１によって生成された撮影画像表示データ、カメラメモリ１３２に記憶されているメニュー項目を、透過表示部７０または背面表示部６１に選択的に表示させる。
【００３１】
近接センサ６８は、ユーザがファインダ窓６７を覗いたことを検出すると、検出信号をカメラシステム制御部５２に出力する。カメラシステム制御部５２は、近接センサ６８から検出信号が入力されると、表示制御部１３４を制御して、背面表示部６１を非表示状態に切り替える。また、後述するフローに従って透過表示部７０を変位させる。
【００３２】
照度センサ６９は、検出した一眼レフカメラ１０の周囲環境の照度値をカメラシステム制御部５２に出力する。カメラシステム制御部５２は、検出された照度値に従って、表示制御部１３４を介して、背面表示部６１の明るさを制御する。また、後述するフローに従って透過表示部７０を変位させる。
【００３３】
操作入力部１３８は、十字キー６３、決定ボタン６２、スライドレバー６５等の操作部材が操作されたことを検出して、カメラシステム制御部５２へ出力する。モード切替部１３９は、ユーザによる撮影モードの設定を受け付けて、カメラシステム制御部５２へ出力する。撮影モードとしては、動画撮影モードと静止画撮影モードを備える。
【００３４】
駆動制御部１４０は、カメラシステム制御部５２から入力される駆動制御信号に応じて、透過表示部７０が第１状態と第２状態のいずれかの状態になるように、変位機構７１を駆動する。変位機構７１の具体的な構成は後述する。カメラシステム制御部５２は、操作入力部１３８を介してスライドレバー６５のスライド操作信号を検知した場合等において、駆動制御信号を駆動制御部１４０に出力する。
【００３５】
図４は、ファインダ窓６７を介して視認される重畳表示を示した図である。透過表示部７０が光学ファインダの光路に交差させる第１状態にある場合、ユーザは、ファインダ窓６７から、透過表示部７０を介して光学像１５１を視認できる。透過表示部７０のうち光学像１５１と重なる領域には、画像データを表示することができる。表示制御部１３４は、透過表示部７０に表示する画像データの輝度を調整することにより、光学像１５１のうち重なる領域を不透明にしたり、半透過状態にすることができる。
【００３６】
従って、透過表示部７０に表示される画像データの表示領域は、交換レンズ２０のレンズ群２１を通過して到達する光学像１５１を透過させ得る。すなわち、表示制御部１３４は、透過表示部７０が第１状態にある場合に、ピント板５５に結像する被写体の光学像１５１に、半透過状態あるいは非透過状態で画像データを重畳させて表示することができる。
【００３７】
画像データの重畳表示は、さまざまな表示態様において実行され得る。例えば図示するように、画像データに含まれる人物像１５２を抽出して、光学像１５１に対して部分的に重畳させることができる。
【００３８】
具体的には、まず表示制御部１３４が画像データの全体を表示させた後に、ユーザによる操作部材の操作を受け付け、重畳範囲枠１５９を決定する。そして、画像処理部５１は、顔検出機能を用いて、重畳範囲枠１５９内に人物像１５２が含まれるか否かを判断する。人物像１５２が存在すると判断した場合は、画像情報として含まれる被写体の距離情報等を用いて輪郭を確定し、人物像１５２の抽出を行う。画像処理部５１は、重畳範囲枠１５９内で抽出された人物像１５２以外の抽出外領域１６０に対して非表示処理を行う。もちろん、ユーザによる輪郭を指定する操作を受け付けて、指定された輪郭の外側を抽出外領域１６０としても良い。
【００３９】
また、表示制御部１３４は、ピント板５５に結像する被写体の光学像１５１に、撮影情報等を重畳させて表示することができる。例えば図においては、二次電池５４の残容量アイコン１５８などが、透過表示部７０のうち光学像１５１が視認される表示領域内に表示されている。
【００４０】
透過表示部７０は、第１状態において、被写体の光学像１５１に重畳する表示領域と、その外側の重畳しない表示領域を有している。表示制御部１３４は、光学像１５１に重畳しない表示領域にも、各種情報等を表示させることができる。この領域には、例えば、シャッタースピード１５４、絞り値１５５、露出インジケーター１５６、記録可能撮影数１５７等が表示される。従って、ユーザは、画像データおよび撮影情報等を、ファインダ窓６７を介して、ピント板５５に結像する被写体の光学像１５１に重ねて観察することができる。
【００４１】
図５は透過表示部７０をスライドさせる変位機構７１を示す模式図である。特に、図５（ａ）は変位機構７１の上面図であり、図５（ｂ）は側面図である。
【００４２】
変位機構７１は、駆動部としてリニアアクチュエータを備える。透過表示部７０は、外周が保持枠１６１に囲まれて保持されている。保持枠１６１は、１つの長辺部に２つのガイド部１６２を有し、他の長辺部に１つ締結部１６５を有する。各ガイド部１６２は側面に貫通孔１６８が設けられている。貫通孔１６８には、光軸１１と平行なＺ軸方向と直交するＸ軸方向に沿って固定されているガイドバー１６４が遊嵌するように挿入される。ガイドバー１６４は、ベース部から延出する支持部１７２に支持されて固定されている。
【００４３】
締結部１６５は、部分的に着磁されたシャフト１６６を貫通して一体的に形成されている。着磁されたシャフト１６６は可動子であり、ベース部に固定された固定子であるコイル部１６７に対してＸ軸方向に沿って移動する。シャフト１６６は、ガイドバー１６４と平行に設けられており、ベース部から延出する支持部１７１に遊嵌して支持されている。
【００４４】
シャフト１６６はコイル部１６７に挿入されており、駆動制御部１４０は、コイル部１６７に交流電流を流すことによってシャフト１６６をＸ軸方向に進退させる。従って、透過表示部７０は、シャフト１６６の動きに連動し、ガイドバー１６４に沿って矢印で示すＸ軸方向にスライド移動する。
【００４５】
図６は、透過表示部７０のスライド中の状態を示した図である。他の図と共通の要素には同じ参照番号を付して重複する説明を省く。
【００４６】
透過表示部７０は、第２状態において、視認窓６６を介して視認されるように配置されている。従って、第１状態にある透過表示部７０が変位機構７１によってスライドさせられると、図６に示すように、透過表示部７０は視認窓６６の左端部から右端部に向かう。
【００４７】
透過表示部７０が第２状態に変位し終えると、黒塗りされた底面部１８０は、透過表示部７０の表示領域で覆われる。すなわち、透過表示部７０が第１状態にある場合は、視認窓６６を介して黒塗りされた底面部１８０が視認され、透過表示部７０が第２状態にある場合は、視認窓６６を介して透過表示部７０の表示領域が視認される。なお、透過表示部７０が第１状態にある場合、視認窓６６を介して視認される黒塗りされた底面部１８０を設けたが、黒塗りされた底面部１８０に替えて一眼レフカメラ１０の動作状態を表示する液晶表示装置を別途設けても良い。追加される液晶表示装置は、例えば、透過表示部７０が第１状態にある場合に表示がオンにされ、透過表示部７０が第２状態にある場合に表示がオフにされる。このとき、透過表示部７０が第２状態である場合に、表示面が黒色である液晶表示装置が好ましい。
【００４８】
なお、図においては、透過表示部７０のスライド中において透過表示部７０の表示領域に画像データを表示させているが、透過表示部７０のスライド中は画像データを表示させず、第２状態に変位し終えた後に表示を再開させるようにしても良い。
【００４９】
また、上記においては、変位機構７１をリニアアクチュエータにより構成した場合を説明したが、スライドレバー６５と保持枠１６１を連結バーなどで連結し、スライドレバー６５のスライド操作に応じて透過表示部７０を機械的にスライドさせるようにしても良い。
【００５０】
図７は、他の変位機構８１を備えた一眼レフカメラ１０の要部断面図である。図２と共通の要素には同じ参照番号を付して重複する説明を省く。
【００５１】
一眼レフカメラ１０は、ピント板５５とペンタプリズム３７の間、すなわち被写体光束の一次結像面近傍に、可撓性を有する透過表示部８０が配置される。本実施形態では、透過表示部８０をピント板５５の上面側に配置したが、透過表示部８０を配置する場所は透過表示部７０と同様、一次結像面の近傍であればよく、ピント板５５の下面側に配置しても良い。後述する巻取り式の変位機構８１に取り付けられた透過表示部８０は、自発光型で透明基板および透明電極からなる有機ＥＬディスプレイなどの透過型表示素子により構成される。ピント板５５で一次結像した被写体光束は、透過表示部８０が非表示の状態において透過する。また、表示状態であっても、発光条件によっては、表示部分を透過し得る。
【００５２】
図８は、可撓性を有する透過表示部８０の構造を示した平面図である。透過表示部８０は、破線枠で示した被写体の光学像と重畳する表示領域８２、および被写体の光学像と重畳させない開口部８３を有する。透過表示部８０の両端部には、透過表示部８０を後述する巻取り軸８５および巻取り軸８９に接着させる接着領域８４が設けられている。
【００５３】
図９は、透過表示部８０を第１状態にした場合の模式図である。巻取り式の変位機構８１は、透過表示部８０を巻き取る巻取り軸８５、８９と、巻取り軸８５、８９に回転力を伝達するスパーギヤ８６、９０を有する。
【００５４】
巻取り軸８５、８９の中央部には、透過表示部８０の接着領域８４が接着剤によって接着される。巻取り軸８５一端側にはスパーギヤ８６が固着され、巻取り軸８９の一端側にはスパーギヤ９０が固着される。
【００５５】
巻取り軸８５と巻取り軸８９は、ベース部に支持される高さが異なっている。巻取り軸８５は、ピント板５５の面と表示領域８２の面とが平行となるように、透過表示部８０を巻取ることによって生じる厚みの分だけ巻取り軸８９よりも低くベース部に支持されている。
【００５６】
スパーギヤ８６はモータ軸８８に固着されたピニオンギヤ８７と噛み合わさり、スパーギヤ９０はモータ軸９２に固着されたピニオンギヤ９１と噛み合わさる。図９に示すように、透過表示部８０を第１状態に保った状態では、表示領域８２が撓まないように各モータの回転力が、ピニオンギヤ９１とスパーギヤ９０とを介して巻取り軸８９に伝達されると共に、ピニオンギヤ８７とスパーギヤ８６とを介して巻取り軸８５にも伝達される。それぞれのモータは、駆動制御部１４０により制御される。
【００５７】
図１０は、可撓性を有する透過型表示素子を第２状態にした場合の模式図である。図９と共通の要素には同じ参照番号を付して重複する説明を省く。
【００５８】
透過表示部８０を第１状態から第２状態に変位させるには、巻取り軸８５に回転力を与えるモータの駆動を停止して巻取り軸８９を回転させる。巻取り軸８９は、図１０に示すように、表示領域８２を有する部分の透過表示部８０を巻取ると共に、巻取り軸８５に巻き取られていた開口部８３をピント板５５とペンタプリズム３７の間に引き出して配置させる。変位機構８１は、第２状態として、可撓性を有する透過表示部８０を巻取り収容状態とする。
【００５９】
開口部８３がピント板５５とペンタプリズム３７の間に引き出されて配置されると、巻取り軸８５に回転力を与えるモータを駆動させ、巻取り軸８９の回転を停止させると共に開口部８３に撓みを生じさせなくする。開口部８３がピント板５５とペンタプリズム３７の間に配置されると、被写体光束は透過表示部８０を透過することなくペンタプリズム３７に入射する。なお、巻取り軸８５または巻取り軸８９を回転させるモータは、メインミラー３２を回動させるモータ、または、シャッタ幕をチャージするモータを兼用しても良い。
【００６０】
ここで、図５および図９等を用いて説明したそれぞれの変位機構７１、８１の意義について説明する。透過表示部７０、８０は、非表示状態において被写体光束を透過させるといえども、その透過率は１００％ではない。すなわち、被写体光束は、透過表示部７０、８０を透過することにより光量が減少する。したがって、ユーザがピント板５５に結像する光学像１５１のみを観察したい場合は、透過表示部７０、８０が存在しない方が明るく鮮明な像となるので好ましい。特に、撮影環境が薄暗いような場合には、そもそも光学像１５１が見づらいので、透過表示部７０、８０が退避することが望ましい。そこで、透過表示部７０、８０を光学ファインダの光路に交差させる第１状態と光路から退避させる第２状態に変位させる変位機構７１、８１の存在が有効となる。
【００６１】
次に、近接センサ６８の検出信号に応じて透過表示部７０を変位させる処理について説明する。図１１は、近接センサ６８を用いて透過表示部７０を変位させるフロー図である。
【００６２】
以下に説明する変位処理は、一眼レフカメラ１０の電源がＯＮされると開始する。変位処理が開始されると、カメラシステム制御部５２は、ステップＳ１０１で、近接センサ６８から入力される検出信号の有無により、ユーザがファインダ窓６７を覗いているか否かを判断する。
【００６３】
ユーザがファインダ窓６７を覗いていると判断したら、カメラシステム制御部５２は、ステップＳ１０２へ進み、透過表示部７０の状態が第２状態であるか否かを判断する。透過表示部７０の状態が第２状態であると判断したら、駆動制御部１４０は、ステップＳ１０３で、変位機構７１を駆動して透過表示部７０の状態を第２状態から第１状態に変位させる。一方、ステップＳ１０２で透過表示部７０の状態が第２状態でなく、第１状態であると判断したら、駆動制御部１４０は、変位機構７１を駆動させず透過表示部７０の状態を第１状態のままとする。
【００６４】
ステップＳ１０１でユーザがファインダ窓６７を覗いていないと判断したら、カメラシステム制御部５２は、ステップＳ１０４へ進み、透過表示部７０の状態が第２状態であるか否かを判断する。
【００６５】
透過表示部７０の状態が第２状態であると判断したら、駆動制御部１４０は、変位機構７１を駆動させず透過表示部７０の状態を第２状態のままとする。一方、ステップＳ１０４で透過表示部７０の状態が第２状態でなく、第１状態であると判断したら、駆動制御部１４０は、ステップＳ１０５で、変位機構７１を駆動して透過表示部７０の状態を第１状態から第２状態に変位させる。
【００６６】
ステップＳ１０２の判断がＮｏ、ステップＳ１０４の判断がＹｅｓ、またはステップＳ１０３もしくはステップＳ１０５の処理が終了した場合、カメラシステム制御部５２は、ステップＳ１０６で、一眼レフカメラ１０の電源がＯＦＦにされたか否かを判断する。
【００６７】
カメラシステム制御部５２は、一眼レフカメラ１０の電源がＯＦＦにされていないと判断したら、変位処理をステップＳ１０１に戻す。一方、ステップＳ１０６で、一眼レフカメラ１０の電源がＯＦＦにされたと判断したら、変位処理を終了する。
【００６８】
上述した変位処理によれば、ユーザがファインダ窓６７を覗くと透過表示部７０が自動的に第１状態となるので、別段の変位指示が不要になる。特に、ユーザがファインダ窓６７を覗いていない状態においては、透過表示部７０が第２状態に変位されているので、透過表示部７０は、視認窓６６を介した外部表示部として機能する。したがって、ユーザの利用に供される可能性が高く、また、表示部材の削減にも資する。なお、上述した変位処理は、透過表示部７０および変位機構７１を用いて説明したが、透過表示部８０および変位機構８１を用いて同様の変位処理を行っても良い。
【００６９】
次に、照度センサ６９の検出信号に応じて透過表示部７０を変位させる処理について説明する。図１２は、照度センサ６９を用いて透過表示部７０を第１の状態から第２の状態に変位させるフロー図である。
【００７０】
以下に説明する変位処理は、一眼レフカメラ１０の電源がＯＮされると開始する。変位処理が開始されると、カメラシステム制御部５２は、ステップＳ３０１で、照度センサ６９から入力される照度値Ｃが予め定められた閾値Ｃ０より暗い値であるか否かを判断する。
【００７１】
照度センサ６９から入力された照度値Ｃが予め定められた閾値Ｃ０より暗い値と判断したら、カメラシステム制御部５２は、ステップＳ３０２へ進み、透過表示部７０の状態が第２状態であるか否かを判断する。
【００７２】
透過表示部７０の状態が第２状態であると判断したら、駆動制御部１４０は、変位機構７１を駆動させず透過表示部７０の状態を第１状態のままとする。一方、ステップＳ３０２で透過表示部７０の状態が第２状態でなく、第１状態であると判断したら、駆動制御部１４０は、ステップＳ３０３へ進み、変位機構７１を駆動させて透過表示部７０の状態を第１状態から第２状態に変位させる。
【００７３】
ステップＳ３０１で照度センサ６９から入力された照度値Ｃが予め定められた閾値Ｃ０より暗くない値であると判断したら、カメラシステム制御部５２は、ステップＳ３０４へ進み、透過表示部７０の状態が第２状態であるか否かを判断する。
【００７４】
透過表示部７０の状態が第２状態であると判断したら、駆動制御部１４０は、ステップＳ３０５で、変位機構７１を駆動させて透過表示部７０の状態を第２状態から第１状態に変位させる。一方、ステップＳ３０４で透過表示部７０の状態が第２状態でなく、第１状態であると判断したら、駆動制御部１４０は、変位機構７１を駆動させず透過表示部７０の状態を第１状態のままとする。
【００７５】
ステップＳ３０２の判断がＹｅｓ、ステップＳ３０４の判断がＮｏ、またはステップＳ３０３もしくはステップＳ３０５の処理が終了した場合、カメラシステム制御部５２は、ステップＳ３０６で、一眼レフカメラ１０の電源がＯＦＦにされたか否かを判断する。
【００７６】
カメラシステム制御部５２は、一眼レフカメラ１０の電源がＯＦＦにされていないと判断したら、変位処理をステップＳ３０１に戻す。一方、ステップＳ３０６で、一眼レフカメラ１０の電源がＯＦＦにされたと判断したら、変位処理を終了する。
【００７７】
上述した変位処理によれば、一眼レフカメラ１０の周囲が暗い場合は、透過表示部７０が自動的に第２状態となるので、別段の変位指示が不要になる。なお、上述した変位処理は、透過表示部７０および変位機構７１を用いて説明したが、透過表示部８０および変位機構８１を用いて同様の変位処理を行っても良い。
【００７８】
図１３は、光学像１５１に画像データの一部を合成する過程を示した図である。一眼レフカメラ１０の動作モードが、モード切替部１３９により合成モードに設定された場合において、ユーザが被写体の光学像１５１に合成したい画像データを選択すると、表示制御部１３４は、ユーザが選択した画像データを透過表示部７０の表示領域１６３内に半透過処理して表示する。
【００７９】
次に、表示制御部１３４は、上述したように合成領域を選択する。そして、画像処理部５１は、選択された合成領域内の人物像１５２を抽出する。抽出された人物像１５２は、十字キー６３および決定ボタン６２の操作に応じて移動される。
【００８０】
その後、レリーズボタンが押し込まれて被写体の光学像１５１が撮影された場合に、画像処理部５１は、撮像された光学像１５１の画像データに、人物像１５２を合成した画像データ２００を生成する。画像データ２００は、外部接続ＩＦを介して外部メモリに記録される。
【００８１】
このような合成処理を応用すれば、例えば、撮影した画像データの一端部を合成画像領域の端部に表示させて被写体の光学像１５１と重畳表示させ、合成撮影を繰り返すことにより、複数枚の画像データが連続するパノラマ画像データを生成することができる。なお、透過表示部７０および変位機構７１を用いて説明したが、透過表示部８０および変位機構８１を用いても同様の合成撮影が行える。
【００８２】
以上説明した実施形態によれば、一眼レフカメラ１０は、変位機構が、透過型表示素子を光学ファインダの光路に交差させる第１状態と光路から退避させる第２状態とに変位させるので、透過型表示素子が第１状態である場合には、撮影した画像データおよびカメラ情報を重畳表示させられる。一方、透過型表示素子が第２状態である場合には、被写体光学像の視認性低下を防止できる。従って、一眼レフカメラ１０の使用目的または使用環境に応じて被写体光学像の視認性を選択できる。
【００８３】
以上説明した実施形態においては、一眼レフカメラ１０を例に説明したが、光学ファインダを備える撮像装置であれば、同様に構成することができる。例えば、ビデオカメラにおいても適用できる。
【００８４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８６】
１０  一眼レフカメラ、１１  光軸、２０  交換レンズ、２１  レンズ群、２２  レンズシステム制御部、２９  レンズマウント、３０  カメラ本体、３１  カメラマウント、３２  メインミラー、３４  メインミラー回転軸、３６  撮像素子、３７  ペンタプリズム、３８  接眼光学系、３９  ＡＥセンサ、４０  サブミラー、４１  ＡＦ光学系、４２  ＡＦセンサ、４３  フォーカルプレーンシャッタ、５０  メイン基板、５１  画像処理部、５２  カメラシステム制御部、５４  二次電池、５５  ピント板、６１  背面表示部、６２  決定ボタン、６３  十字キー、６４  ライブビューボタン、６５  スライドレバー、６６  視認窓、６７  ファインダ窓、６８  近接センサ、６９  照度センサ、７０  透過表示部、７１  変位機構、８０  透過表示部、８１  変位機構、８２  表示領域、８３  開口部、８４  接着領域、８５  巻取り軸、８６  スパーギヤ、８７  ピニオンギヤ、８８  モータ軸、８９  巻取り軸、９０  スパーギヤ、９１  ピニオンギヤ、９２  モータ軸、１２１  レンズマウント、１３１  カメラマウント、１３２  カメラメモリ、１３３  ワークメモリ、１３４  表示制御部、１３８  操作入力部、１３９  モード切替部、１４０  駆動制御部、１５１  光学像、１５２  人物像、１５４  シャッタースピード、１５５  絞り値、１５６  露出インジケーター、１５７  記録可能撮影数、１５８  残容量アイコン、１５９  重畳範囲枠、１６０  抽出外領域、１６１  保持枠、１６２  ガイド部、１６３  表示領域、１６４  ガイドバー、１６５  締結部、１６６  シャフト、１６７  コイル部、１６８  貫通孔、１７１、１７２  支持部、１８０  底面部、２００  画像データ
【図１】
2012090065.tif 000003
【図２】
2012090065.tif 000004
【図３】
2012090065.tif 000005
【図４】
2012090065.tif 000006
【図５】
2012090065.tif 000007
【図６】
2012090065.tif 000008
【図７】
2012090065.tif 000009
【図８】
2012090065.tif 000010
【図９】
2012090065.tif 000011
【図１０】
2012090065.tif 000012
【図１１】
2012090065.tif 000013
【図１２】
2012090065.tif 000014
【図１３】
2012090065.tif 000015